(57)【特許請求の範囲】
【請求項１】
情報処理装置であって、
撮像装置による撮影処理の結果を前記撮像装置から受信する第１の受信手段と、
受信した前記撮影処理の結果を用いて前記撮影処理が行われた際の第１撮影パラメータを判定する判定手段と、
前記第１撮影パラメータが前記情報処理装置により管理される第２撮影パラメータと異なる場合、前記撮像装置に前記第２撮影パラメータが設定されていないことを前記撮像装置へ通知する通知手段と、
ユーザに撮影パラメータを前記第２撮影パラメータに設定するか否かを問い合わせた結果を前記撮像装置から前記通知の応答として受信する第２の受信手段と
を有することを特徴とする情報処理装置。
【請求項２】
前記第１撮影パラメータが前記情報処理装置により管理される第２撮影パラメータと異なる場合、前記撮像装置に撮影処理の無効化を指示する指示手段
を更に有することを特徴とする請求項１に記載の情報処理装置。
【請求項３】
前記第２の受信手段により受信した前記問い合わせた結果が、撮影パラメータを前記第２撮影パラメータに設定することを示していた場合、前記第２撮影パラメータを前記撮像装置に送信する撮影パラメータ送信手段
を更に有することを特徴とする請求項１または２に記載の情報処理装置。
【請求項４】
前記指示手段は、
前記撮影処理の無効化を指示した後に、前記撮像装置に第２撮影パラメータが送信された場合、前記無効化の解除を前記撮像装置に指示する
ことを特徴とする請求項２記載の情報処理装置。
【請求項５】
撮影パラメータを含む設定値セットを管理する管理手段と、
前記管理手段により管理された撮影パラメータの中から撮影を行なう撮像装置の能力に応じて設定可能な撮影パラメータを選定する選定手段と
を更に有し、
前記第２撮影パラメータは、前記選定手段により選定された撮影パラメータである
ことを特徴とする請求項１乃至４何れか１項に記載の情報処理装置。
【請求項６】
前記設定値セットは、
１又は複数の撮像装置と撮影目的と撮影パラメータとを関連付けており、
前記通知手段は、
ユーザに指示された撮影目的及び撮影を行なう撮像装置に前記通知を行う
ことを特徴とする請求項５記載の情報処理装置。
【請求項７】
前記撮像装置により撮影された画像データを画像処理する画像処理手段を更に有し、
前記設定値セットは、
前記撮影パラメータと画像処理項目と撮影目的とを関連付けており、
前記画像処理手段は、
前記ユーザに指示された撮影目的及び前記撮像装置の撮影時に使用された前記撮影パラメータに関連付けられた前記画像処理項目に基づいて前記画像処理を実行する
ことを特徴とする請求項６記載の情報処理装置。
【請求項８】
前記撮像装置により撮影された画像データを表示器に表示する表示制御手段
を更に有することを特徴とする請求項１乃至７何れか１項に記載の情報処理装置。
【請求項９】
撮影システムであって、
撮像装置による撮影処理の結果を前記撮像装置から受信する第１の受信手段と、
受信した前記撮影処理の結果を用いて前記撮影処理が行われた際の第１撮影パラメータを判定する判定手段と、
前記第１撮影パラメータが前記撮影システムにより管理される第２撮影パラメータと異なる場合、前記撮像装置に前記第２撮影パラメータが設定されていないことを前記撮像装置へ通知する通知手段と、
ユーザに撮影パラメータを前記第２撮影パラメータに設定するか否かを問い合わせた結果を前記撮像装置から前記通知の応答として受信する第２の受信手段
を有することを特徴とする撮影システム。
【請求項１０】
情報処理装置による撮影処理方法であって、
撮像装置による撮影処理の結果を前記撮像装置から受信する第１の受信工程と、
受信された記撮影処理の結果を用いて前記撮影処理が行われた際の第１撮影パラメータを判定する判定工程と、
前記第１撮影パラメータが前記情報処理装置により管理される第２撮影パラメータと異なる場合、前記撮像装置に前記第２撮影パラメータが設定されていないことを通知する通知工程と、
ユーザに撮影パラメータを前記第２撮影パラメータに設定するか否かを問い合わせた結果を前記撮像装置から前記通知の応答として受信する第２の受信工程と、
を含むことを特徴とする撮影処理方法。
【請求項１１】
撮像装置であって、
撮影処理の結果を外部装置に送信する第１の送信手段と、
前記撮影処理に用いられた第１撮影パラメータが前記外部装置により管理される第２撮影パラメータと異なる場合、当該第２撮影パラメータが設定されていないことの通知を、前記第１の送信手段による送信に応じて前記外部装置から受信する受信手段と、
撮影パラメータを前記第２撮影パラメータに設定するか否かを、前記受信手段による前記通知の受信に応じてユーザに問い合わせる問合せ手段と、
前記問合せ手段による問い合せ結果を前記外部装置に送信する第２の送信手段と
を有することを特徴とする撮像装置。
【請求項１２】
前記問合せに応じて前記ユーザから前記第２撮影パラメータに設定に設定することを指示された場合、前記第２の送信手段は、前記第２撮影パラメータを前記外部装置に要求するための情報を送信することを特徴とする請求項１１に記載の撮像装置。
【請求項１３】
前記撮像装置の撮影処理を制限する処理を前記通知の受信に応じて行う処理手段を更に有することを特徴とする請求項１１または１２に記載の撮像装置。
【請求項１４】
前記処理手段による前記撮影処理の制限を前記第２の送信手段による送信に応じて解除する解除手段を更に有することを特徴とする請求項１３に記載の撮像装置。
【請求項１５】
撮像装置の制御方法であって、
撮影処理の結果を外部装置に送信する第１の送信工程と、
前記撮影処理に用いられた第１撮影パラメータが前記外部装置により管理される第２撮影パラメータと異なる場合、当該第２撮影パラメータが設定されていないことの通知を、前記第１の送信工程による送信に応じて前記外部装置から受信する受信工程と、
撮影パラメータを前記第２撮影パラメータに設定するか否かを、前記受信工程による前記通知の受信に応じてユーザに問い合わせる問合せ工程と、
前記問合せ手工程による問い合せ結果を前記外部装置に送信する第２の送信工程と
を含むことを特徴とする撮像装置の制御方法。
【請求項１６】
請求項１０または１５に記載の方法をコンピュータに実行させるためのプログラム。
【発明の詳細な説明】
【技術分野】
【０００１】
本発明は、情報処理装置、撮像装置、撮影システム、情報処理装置による撮影処理方法、撮像装置の制御方法およびプログラムに関する。
【背景技術】
【０００２】
撮影業務を支援するシステムでは、撮像装置で撮影された画像データや、その他撮影に係わる情報を表示する。これにより、撮影者は、画像データの確認や撮影時の露出、シャッタースピード、ＩＳＯ感度などの撮影パラメータの確認、画像処理による画像データの補正等を容易に行なえることになる。
【０００３】
撮影パラメータの確認では、撮影者は、例えば、撮影に使用された撮影パラメータが適切であったか否かを判断する。しかし、例えば、撮影中に、撮影者が意図せず撮影パラメータが変更されていた場合、その旨を撮影者に伝えることが困難であった。
【０００４】
このような問題に対処した技術として、特許文献１に開示された技術が知られている。この技術では、撮影に用いる撮影パラメータを事前に管理する。その上で、撮影に用いる撮影パラメータと、撮像装置で撮影された画像データに付加された情報とを比較する。そして、比較の結果、値が異なっていた場合、撮影者に警告を行なう。
【０００５】
また、撮影業務においては、一般に、撮影した画像データを補正するために画像処理が行なわれる。これは、画像データから生成される写真を高品質なものにして付加価値を付けて顧客に提供するためである。このような技術に関して、特許文献２に開示された技術が知られている。この技術では、撮影に際して、画像データと明るさや色温度などの撮影条件を撮像装置が取得する。そして、撮影した画像データやそのときの撮影条件等を現像所に向けて送信する。これにより、当該情報を受け取った現像所においては、その情報に基づいて現像処理や画像処理を実施するとともに、画像データを印刷する。印刷されたサンプルは、写真撮影所で検定され、その結果が思わしくなければ、再度、現像所において、検定者からの要望に応じた画像処理を行なう。これを繰り返すことにより、画像処理条件が決められる。また、当該決められた画像処理条件は、撮影条件毎に現像所で保持される。
【先行技術文献】
【特許文献】
【０００６】
【特許文献１】特開２００６−１８０４０４号公報
【特許文献２】特開２００５−０３３２５５号公報
【発明の概要】
【発明が解決しようとする課題】
【０００７】
上述した特許文献１では、撮影パラメータを事前に管理しているが、このパラメータを利用する場合、人手を介して撮像装置に設定しなければならない。そのため、撮影パラメータが正確に設定されているという保証がない。更に、事前に管理された撮影パラメータが正確に設定されていない場合、警告が行なわれるが、撮影者がその警告に気付かなければ、そのまま撮影がおこなわれてしまう。
【０００８】
また、上述した特許文献２では、事前に画像処理条件を決定しているが、印刷後でないと画像処理結果を参照できないため、使い勝手が悪い。また、同一の撮影条件である場合、画像処理項目のみを変更することはできない。
【０００９】
そこで、本発明は、上記課題の少なくとも１つを解決することを目的とする。
【課題を解決するための手段】
【００１０】
上記課題を解決するため、本発明の一態様は、
情報処理装置であって、
撮像装置による撮影処理の結果を前記撮像装置から受信する第１の受信手段と、
受信した前記撮影処理の結果を用いて前記撮影処理が行われた際の第１撮影パラメータを判定する判定手段と、
前記第１撮影パラメータが前記情報処理装置により管理される第２撮影パラメータと異なる場合、前記撮像装置に前記第２撮影パラメータが設定されていないことを前記撮像装置へ通知する通知手段と、
ユーザに撮影パラメータを前記第２撮影パラメータに設定するか否かを問い合わせた結果を前記撮像装置から前記通知の応答として受信する第２の受信手段と
を有することを特徴とする。
【発明の効果】
【００１１】
本発明によれば、例えば、撮影パラメータの誤設定等を起因とした撮影ミスを抑制させられる。
【図面の簡単な説明】
【００１２】
【図１】写真撮影所で行なわれる撮影業務の流れの一例を示す図。
【図２】本発明の一実施の形態に係わる撮影システムの全体構成の一例を示す図。
【図３】図２に示す撮影システムにおける処理の流れの一例を示すフローチャート。
【図４】本実施形態に係わるテーブルのレイアウトの一例を示す図。
【図５】本実施形態に係わるテーブルのレイアウトの一例を示す図。
【図６】本実施形態に係わる表示画面の構成の一例を示す図。
【図７】図２に示す撮影システムにおける処理の流れの一例を示すフローチャート。
【図８】本実施形態に係わる表示画面の構成の一例を示す図。
【図９】図２に示す撮影システムにおける処理の流れの一例を示すフローチャート。
【発明を実施するための形態】
【００１３】
以下、本発明に係わる撮影システム及びその撮影処理方法の一実施の形態について添付図面を参照して詳細に説明する。
【００１４】
まず、図１を用いて、写真撮影所（例えば、写真館、撮影スタジオ）で行なわれる撮影業務の流れの一例について説明する。
【００１５】
写真撮影所では、まず、顧客に対して受付を行なう（Ｓ１０１）。受付では、新規顧客であれば、当該顧客に対して新規の顧客ＩＤを発行した後、受付ＩＤを発行する。既存顧客であれば、過去の来店履歴を参照し、当該顧客の顧客ＩＤを取得した後、受付ＩＤを発行する。
【００１６】
受付の後、顧客の撮影を行なう（Ｓ１０２）。ここで、顧客は、例えば、所望の衣装などに着替える。その後、撮影者は、撮影目的に合わせた構図や色合いで顧客を撮影する。撮影が済むと、セレクト＆プレゼンテーションが行なわれる（Ｓ１０３）。セレクト＆プレゼンテーションでは、顧客が、撮影された複数の画像を参照し、その中からいずれかの画像を選択する。ここでは、顧客は、撮影された画像データをモニタ等で実際に参照しながら、購入する画像を選択するとともに、購入する商材に当該選択した画像を配置する。
【００１７】
最後に、セレクト＆プレゼンテーションの出力結果が実際の紙に印刷される（Ｓ１０４）。印刷は、写真撮影所で行なわれる場合もあるが、写真撮影所の規模や方針によっては、写真撮影所以外で行なわれる場合もある。また、顧客に対して撮影した画像データのみを提供する場合には、印刷は行なわれない。以上が、撮影業務の流れの一例についての説明である。
【００１８】
図２は、本発明の一実施の形態に係わる撮影システムの全体構成の一例を示す図である。
【００１９】
撮影システムは、撮像装置３１０と、撮影画像確認装置３２０と、撮影業務制御装置３３０と、画像処理装置３４０とを具備して構成される。撮影画像確認装置３２０、撮影業務制御装置３３０、画像処理装置３４０は、例えば、ＵＳＢ（Universal Serial Bus）やＬＡＮ（Local Area Network）等を介して通信可能に接続されている。通信プロトコルには、例えば、ＴＣＰ／ＩＰ（Transmission Control Protocol/Internet Protocol）等を用いればよい。
【００２０】
また、撮像装置３１０及び撮影画像確認装置３２０の間は、例えば、ＵＳＢ（Universal Serial Bus）やＬＡＮ（Local Area Network）等を介して通信可能に接続されている。通信プロトコルには、例えば、ＰＴＰ（Picture Transfer Protocol）やＰＴＰ／ＩＰ（Picture Transver Protocol/Internet Protocol）等を用いればよい。なお、これら装置間の通信は、有線であるか無線であるかは問わない。
【００２１】
ここで、撮像装置３１０は、その機能的な構成として、操作指示受信部３１１と、撮影パラメータ受信部３１２と、画像データ送信部３１３と、撮影パラメータ設定部３１４と、撮像装置制御部３１５とを具備して構成される。
【００２２】
操作指示受信部３１１は、外部（例えば、撮影画像確認装置３２０）からの（遠隔）操作指示を受信する。撮像装置制御部３１５は、操作指示受信部３１１により受信した操作指示に従って撮像装置３１０の動作を制御する。撮像装置制御部３１５には、無効化部３１５ａが設けられる。無効化部３１５ａは、操作指示受信部３１１により受信した操作指示（撮影処理無効）に従って撮像装置３１０における撮影処理を禁止する。
【００２３】
撮影パラメータ受信部３１２は、撮影パラメータを外部から受信する。撮影パラメータ受信部３１２において、受信した撮影パラメータは、撮影パラメータ設定部３１４において、撮像装置３１０における撮影パラメータとして設定される。画像データ送信部３１３は、撮影した画像データを外部（例えば、撮影画像確認装置３２０）に送信する。
【００２４】
続いて、撮影画像確認装置３２０について説明する。撮影画像確認装置３２０は、その機能的な構成として、表示制御部３２１と、操作指示送信部３２２と、撮像装置情報送受信部３２３と、設定値セット受信部３２４と、撮影パラメータ選定部３２５とを具備して構成される。また、撮影画像確認装置３２０には、撮影パラメータ比較部３２６、撮影パラメータ送信部３２７、画像データ送受信部３２８、撮影パラメータ抽出部３２９も具備される。
【００２５】
表示制御部３２１は、表示器（不図示）に各種画面を提示する。画像データ送受信部３２８は、撮像装置３１０から送られてくる画像データを受信したり、撮影業務制御装置３３０に当該画像データを送信したりする。また、表示制御部３２１には、警告処理部３２１ａが設けられる。警告処理部３２１ａは、誤操作等により撮影パラメータが変更されている場合などにその旨を撮影者に警告する。なお、本実施形態においては、表示を通して撮影者に警告を行なう場合を例に挙げて説明するが、警告の方法はこれに限られない。例えば、音声ガイダンスやアラーム鳴動等を用いて警告を行うようにしてもよい。
【００２６】
操作指示送信部３２２は、遠隔操作するための命令を撮像装置３１０に向けて送信する。操作指示送信部３２２は、例えば、撮影指示や操作指示などを送信する。撮像装置情報送受信部３２３は、撮影業務制御装置３３０との間で撮像装置情報を送受信する。これは、撮像装置３１０の情報を取得するために行なわれる。
【００２７】
設定値セット受信部３２４は、撮影パラメータを含む設定値セットを受信する。これは、例えば、撮影パラメータが誤操作等で変更された場合に対処するために行なわれる。なお、設定値セットは、撮像装置３１０に設定可能な撮影パラメータ、撮影後に画像データに対して行なう画像処理項目やその画像処理パラメータを含む情報で構成される。
【００２８】
撮影パラメータ選定部３２５は、設定値セット受信部３２４により受信した撮影パラメータ（設定値セット）の中から撮像装置３１０の能力に応じて設定可能な撮影パラメータを選定する。撮影パラメータ抽出部３２９は、画像データ送受信部３２８により受信した画像データから撮影パラメータを抽出する。撮影パラメータ比較部３２６は、事前に管理された撮影パラメータと、撮影に用いられた撮影パラメータとを比較する。撮影パラメータ送信部３２７は、撮像装置３１０に向けて撮影パラメータを送信する。
【００２９】
続いて、撮影業務制御装置３３０について説明する。撮影業務制御装置３３０は、その機能的な構成として、撮像装置管理部３３１と、撮影画像確認装置管理部３３２と、画像処理装置管理部３３３と、設定値セット管理部３３４と、撮像装置情報送受信部３３５とを具備して構成される。また、撮影業務制御装置３３０には、設定値セット送信部３３６、画像データ送受信部３３７、画像データ保存部３３８、依頼送信部３３９も具備される。
【００３０】
撮像装置管理部３３１は、撮像装置３１０を管理し、撮影画像確認装置管理部３３２は、撮影画像確認装置３２０を管理し、画像処理装置管理部３３３は、画像処理装置３４０を管理する。画像データ保存部３３８は、撮影業務において撮影された画像データを保存する。設定値セット管理部３３４は、上述した設定値セットを管理する。
【００３１】
設定値セット送信部３３６は、撮影画像確認装置３２０や画像処理装置３４０に向けて設定値セットを送信する。撮像装置情報送受信部３３５は、撮像装置管理部３３１に管理された撮像装置情報を送受信する。依頼送信部３３９は、画像処理装置３４０に画像処理依頼を送信する。画像データ送受信部３３７は、撮像装置３１０により撮影された画像データを受信したり、画像処理装置３４０に向けて画像データを送信したりする。
【００３２】
続いて、画像処理装置３４０について説明する。画像処理装置３４０は、その機能的な構成として、画像処理情報取得部３４１と、設定値セット受信部３４２と、画像データ送受信部３４３と、画像処理実行部３４４と、依頼受信部３４５とを具備して構成される。
【００３３】
依頼受信部３４５は、撮影業務制御装置３３０からの画像処理依頼を受信し、設定値セット受信部３４２は、設定値セットを受信する。画像データ送受信部３４３は、画像処理依頼とともに送られてくる画像データを受信したり、画像処理後の画像データを送信したりする。
【００３４】
画像処理情報取得部３４１は、設定値セット受信部３４２により受信した設定値セットから画像処理項目と画像処理パラメータとを取得する。画像処理実行部３４４は、画像処理情報取得部３４１により取得した画像処理項目に対応する画像処理を実行する。なお、この画像処理は、設定値セットから取得した画像処理パラメータに基づいて行なわれる。
【００３５】
以上が、撮影システムの全体構成の一例についての説明であるが、システム構成は、あくまで一例であり、これに限られない。例えば、これら装置は、それぞれ物理的な装置として構成される必要はなく、例えば、撮影業務制御装置３３０と画像処理装置３４０とが１台の装置として実現されてもかまわない。
【００３６】
なお、上記説明した、撮像装置３１０、撮影画像確認装置３２０、撮影業務制御装置３３０、画像処理装置３４０には、コンピュータが組み込まれている。コンピュータには、ＣＰＵ等の主制御手段、ＲＯＭ（Read Only Memory）、ＲＡＭ（Random Access Memory）、ＨＤＤ（Hard Disk Drive）等の記憶手段が具備される。また、コンピュータにはその他、キーボード、マウス、ディスプレイ、ボタン又はタッチパネル等の入出力手段、等も具備される。これら各構成手段は、バス等により接続され、主制御手段が記憶手段に記憶されたプログラムを実行することで制御される。
【００３７】
次に、図３を用いて、図２に示す撮影システムにおける処理の流れの一例について説明する。ここではまず、実際の撮影の前に行なわれる事前準備処理の流れを例に挙げて説明する。
【００３８】
撮影者はまず、撮影業務制御装置３３０において、撮影に用いる撮像装置３１０の登録を行なう。撮影者により撮像装置３１０の登録操作が行なわれると、撮影業務制御装置３３０は、撮像装置管理部３３１において、撮像装置３１０を登録しそれを管理する（Ｓ２０１）。
【００３９】
撮影者は続いて、設定値セットを登録する。設定値セットは、例えば、撮影目的毎に登録される。撮影者により設定値セットの登録操作が行なわれると、撮影業務制御装置３３０は、設定値セット管理部３３４において、設定値セットを登録しそれを管理する（Ｓ２０２）。設定値セットは、例えば、図４に示すテーブルを用いて管理される。
【００４０】
図４に示すように、設定値セット名５０１は、設定値セット（各レコード）を一意に識別することに加え、撮影目的も示している。撮影目的とは、例えば、「結婚式」など被写体に関する情報のみならず、写真撮影所内の「スタジオ１」や「撮影者Ａ」など撮影業務を行なう側に関する情報であってもよい。また、撮影パラメータ５０２は、撮像装置３１０が撮影時に使用する撮影パラメータである。画像処理項目５０３は、撮像装置３１０が撮影した画像データに対して行なう画像処理の項目である。
【００４１】
図３の説明に戻り、設定値セットの登録が済むと、撮影画像確認装置３２０は、撮像装置情報送受信部３２３において、撮影業務制御装置３３０から撮像装置３１０の情報を取得する。そして、撮影画像確認装置３２０は、当該取得した１又は複数の撮像装置３１０の情報の中からいずれかの撮像装置３１０を選択する。これにより、撮像装置３１０と撮影画像確認装置３２０とが関連付けられる。
【００４２】
ここで、撮影画像確認装置３２０と撮像装置３１０とを関連付ける情報は、撮影画像確認装置３２０から撮影業務制御装置３３０に送られる。これにより、撮影業務制御装置３３０は、撮影画像確認装置管理部３３２において、この関連付け情報を管理する（Ｓ２０３）。なお、撮像装置３１０は、１台の撮影画像確認装置３２０に対して複数台関連付けられてもよい。
【００４３】
その後、撮影画像確認装置３２０は、設定値セット受信部３２４において、撮影業務制御装置３３０から設定値セットを取得する。そして、撮像装置３１０毎に利用する設定値セットを選択し、それらを関連付ける。撮像装置３１０と設定値セットとを関連付ける情報は、撮影画像確認装置３２０から撮影業務制御装置３３０に送られる。これにより、撮影業務制御装置３３０は、撮像装置管理部３３１において、この関連付け情報を管理する。なお、本実施形態に係わる設定値セットは、撮影目的を示しているため、この設定値セットの選択により、撮像装置３１０及び撮影目的が関連付けられる。
【００４４】
ここで、各装置（撮影画像確認装置３２０、撮像装置３１０）は、上述した処理により、設定値セットと関連付けられる（Ｓ２０４）。具体的には、撮影業務制御装置３３０において、図５に示すテーブル２０１〜テーブル２０３を用いてこれら装置と設定値セットとが関連付けられる。なお、テーブル２０３は、撮影画像確認装置管理部３３２で管理され、テーブル２０２は、撮像装置管理部３３１で管理され、テーブル２０２は、設定値セット管理部３３４で管理される。
【００４５】
この関連関係について図５を参照しながら簡単に説明する。テーブル２０３の撮影画像確認装置名列６０１と撮像装置名列６０２とを参照すると、例えば、撮影画像確認装置Ａ対して撮像装置Ａ及び撮像装置Ｂが関連付けられている。また、テーブル２０２の撮像装置名列６０３と設定値セット名列６０４とを参照すると、例えば、撮像装置Ａに対して設定値セット名６０４（結婚式）が関連付けられている。更に、テーブル２０３の設定値セット名列５０１と撮影パラメータ列５０２とを参照すると、例えば、設定値セット名５０１（結婚式）に対応して撮影パラメータ５０２及び画像処理項目５０３が関連付けられている。これにより、撮影画像確認装置３２０は、テーブル２０１〜テーブル２０３の参照に基づいて撮像装置３１０に対する撮影パラメータ等を取得できる。例えば、撮像装置Ａの場合には、テーブル２０１の設定値セット名５０１（結婚式）に対応する撮影パラメータ５０２及び画像処理項目５０３を取得する。
【００４６】
図３の説明に戻り、続いて、撮影者は、撮像装置３１０と撮影画像確認装置３２０とを接続する。すると、撮影画像確認装置３２０は、自装置に関連付いている１又は複数の撮像装置３１０に対して撮影パラメータの設定処理を繰り返し実行する。
【００４７】
撮影パラメータ設定処理が開始すると、撮影画像確認装置３２０は、撮像装置情報送受信部３２３において、自装置に接続されている撮像装置３１０に関連付けられた設定値セットを取得する（Ｓ２０５）。この取得は、撮影業務制御装置３３０が、撮像装置情報送受信部３３５において、撮像装置３１０に関連付けられた設定値セットを取得し、それを撮影画像確認装置３２０に向けて送信することにより行なわれる。
【００４８】
その後、撮影画像確認装置３２０は、撮影パラメータ選定部３２５において、Ｓ２０７で取得した設定値セットから撮影パラメータを選定する（Ｓ２０６）。ここでは、自装置に接続された撮像装置３１０の能力に応じて設定可能な撮影パラメータの選定を行なう。撮影パラメータの選定が済むと、撮影画像確認装置３２０は、撮影パラメータ送信部３２７において、当該選定した撮影パラメータを撮像装置３１０に向けて送信する（Ｓ２０７）。
【００４９】
これを受けた撮像装置３１０は、撮影パラメータ受信部３１２において、撮影パラメータを受信するとともに、撮影パラメータ設定部３１４において、当該パラメータの設定を行なう（Ｓ２０８）。これにより、事前準備処理が終了する。
【００５０】
次に、図６を用いて、撮影画像確認装置３２０の表示制御部３２１により表示制御されるユーザインターフェース（すなわち、画面）ついて説明する。ここでは、表示制御部３２１により提供される画面として、撮影画像確認画面を例に挙げて説明する。なお、撮影画像確認画面は、撮像装置３１０により撮影された画像を撮影者が確認するために提供される画面である。
【００５１】
撮影画像確認画面は、撮像装置一覧表示部７０１、画像データヒストグラム表示部７０２、撮影パラメータ一覧表示部７０３、画像データメイン表示部７０４、画像データサブ表示部７０５を具備して構成される。また、撮影画像確認画面には、撮影業務操作部７０６、画像データ評価部７０７、サムネイル画像表示部７０８も具備される。
【００５２】
撮像装置一覧表示部７０１には、撮影画像確認装置３２０と関連付けられている撮像装置３１０の一覧が表示される。ここでは、撮像装置３１０の一覧に加えて、各撮像装置３１０で撮影された画像データの枚数が表示される。また、撮像装置一覧表示部７０１には、撮影画像確認装置３２０と接続されているか否かを示す情報（接続状態、切断状態）も表示される。
【００５３】
画像データヒストグラム表示部７０２には、画像データメイン表示部７０４に表示されている画像の成分分析結果（この場合、ヒストグラム）が表示される。撮影パラメータ一覧表示部７０３には、画像データメイン表示部７０４に表示されている画像撮影時の撮影パラメータが表示される。
【００５４】
画像データメイン表示部７０４には、サムネイル画像表示部７０８から選択された画像データが表示される。撮影が行なわれた場合、画像データメイン表示部７０４には、当該撮影された画像が表示される。画像データの表示方法としては、フィット表示や等倍表示等があるがどのような方法を採ってもよい。フィット表示では、画像データの全体が表示され、等倍表示では、画像の部分領域が等倍で表示される。
【００５５】
画像データサブ表示部７０５には、画像データメイン表示部７０４に表示された画像データの一部領域、例えば、人物が写っている場合には、その顔領域が表示される。また、等倍表示を行なっている場合、画像データメイン表示部７０４には、画像データメイン表示部が表示している画像の全体像が表示される。また、撮影業務操作部７０６には、撮影の終了及び中断を指示するボタンが設けられる。
【００５６】
画像データ評価部７０７には、撮影された画像データに対する評価が表示される。この評価は、撮影者により設定される。例えば、顧客に見せたくない画像には、評価０が設定され、セレクト＆プレゼンテーション業務で利用したいと考える画像には、評価３が設定される。なお、図６の説明では、評価レベルを０〜３の４段階としていたが、必要／不必要の２段階評価であっても、０〜５までの６段階評価であってもよく、特にその段階は問わない。
【００５７】
サムネイル画像表示部７０８には、撮影された画像の一覧が表示される。新たに撮影が行なわれた場合、当該撮影された最新画像は、画像一覧の最後尾に追加される。また、撮影者が、撮像装置一覧表示部７０１に表示された撮像装置３１０を選択した場合、その撮像装置３１０で撮影された画像の表示／非表示が変更される。各サムネイルは、サムネイル画像、画像データ評価部７０７で評価された評価情報、撮影業務操作部７０６で指示された編集情報、任意の画像番号、等が対応付けられて表示される。
【００５８】
次に、図７を用いて、図２に示す撮影システムにおける処理の流れの一例について説明する。ここでは、実際の撮影処理の流れを例に挙げて説明する。なお、上述した事前準備処理が既に実施されているものとして説明する。
【００５９】
撮影者はまず、撮像装置３１０を用いて撮影を行なう（Ｓ３０１）。撮影が済むと、撮像装置３１０は、画像データ送信部３１３において、関連付けられた撮影画像確認装置３２０に向けて当該撮影した画像データを送信する（Ｓ３０２）。これに伴って、撮影画像確認装置３２０は、画像データ送受信部３２８において、画像データを取得するとともに、撮影パラメータ抽出部３２９において、当該取得した画像データから撮影パラメータを抽出する（Ｓ３０３）。
【００６０】
ここで、撮影画像確認装置３２０は、設定値セット受信部３２４において、Ｓ３０１で撮影を行なった撮像装置３１０に関連付けられた設定値セットを撮影業務制御装置３３０から取得する（Ｓ３０４）。この設定値セットの取得は、撮影業務制御装置３３０が、設定値セット送信部３３６において、要求された設定値セットを送信することにより行なわれる。
【００６１】
その後、撮影画像確認装置３２０は、撮影パラメータ比較部３２６において、Ｓ３０３で取得した撮影時の撮影パラメータと、Ｓ３０４で取得した規定値の撮影パラメータとを比較する（Ｓ３０５）。
【００６２】
比較の結果、両者の値が等しければ（Ｓ３０６でＹＥＳ）、そのままこの処理を終了する。一方、両者の値が異なれば（Ｓ３０６でＮＯ）、撮影画像確認装置３２０は、表示制御部３２１（警告処理部３２１ａ）において、図８に示す表示画面を表示する（Ｓ３０７）。これにより、撮影パラメータが異なっている旨、撮影者に警告する。値が異なっているパラメータは、例えば、他の画像やテキストとは違う表現（例えば、赤字表示や強調表示等）で表示する。
【００６３】
また、この警告表示とともに、撮影画像確認装置３２０は、操作指示送信部３２２において、撮影処理の無効指示を撮像装置３１０に向けて送信する（Ｓ３０８）。すると、撮像装置３１０は、操作指示受信部３１１において、当該指示を受信するとともに、無効化部３１５ａにおいて、撮影処理の無効化を設定する（Ｓ３０９）。そのため、撮影者は、新たな画像を撮影しようとした場合でもレリーズすることができないので、撮影パラメータが異なっていることを把握できる。この処理により、例えば、撮影者が撮影に集中している等して警告を見落としてしまった場合にも、誤った設定のまま撮影が行なわれない。
【００６４】
次に、撮影者は、撮影パラメータを元に（すなわち、予め設定された規定値）戻すか否かを判断する。ここで、撮影者により規定値に戻さない旨指示された場合（Ｓ３１０でＮＯ）、当該指示が撮像装置３１０から撮影画像確認装置３２０に送られる。すると、撮影画像確認装置３２０は、操作指示送信部３２２において、撮影処理の無効化を解除する指示とともに、撮影指示を撮像装置３１０に向けて送信する（Ｓ３１１）。これにより、撮像装置３１０の操作が有効化され、撮像装置３１０は、規定値と異なった撮影パラメータでの撮影を許可される。その後、撮像装置３１０において当該撮影パラメータに基づく撮影が行なわれた後（Ｓ３１２）、この処理は終了する。
【００６５】
一方、撮影者により規定値に戻す旨指示された場合（Ｓ３１０でＹＥＳ）、撮影画像確認装置３２０は、撮影パラメータ送信部３２７において、規定値の撮影パラメータを撮像装置３１０に向けて送信する。また、撮影画像確認装置３２０は、操作指示送信部３２２において、撮影処理の無効化を解除する指示と撮影指示とを撮像装置３１０に向けて送信する（Ｓ３１３）。
【００６６】
これを受けた撮像装置３１０は、撮影パラメータ受信部３１２において、当該パラメータを受信するとともに、撮影パラメータ設定部３１４において、撮影パラメータを規定値に設定し直す（Ｓ３１４）。また、撮像装置３１０の操作が有効化され、撮像装置３１０は、規定値の撮影パラメータで撮影を行なう（Ｓ３１２）。その後、この処理は終了する。
【００６７】
次に、図９を用いて、図２に示す撮影システムにおける処理の流れの一例について説明する。ここでは、撮影後に実施される画像処理の流れを例に挙げて説明する。なお、撮影業務制御装置３３０の画像処理装置管理部３３３において、画像処理を行なう画像処理装置３４０が既に登録されているものとして説明する。
【００６８】
撮影業務制御装置３３０は、依頼送信部３３９において、画像処理の依頼を画像処理装置３４０に向けて送信する（Ｓ４０１）。なお、依頼送信先となる画像処理装置３４０は、画像処理装置管理部３３３に登録されている。
【００６９】
ここで、画像処理装置３４０は、依頼受信部３４５において、当該依頼を受信する。すると、画像処理装置３４０は、設定値セット受信部３４２において、撮影業務制御装置３３０から設定値セットを受信するとともに、画像データ送受信部３４３において、撮影業務制御装置３３０から画像データを受信する（Ｓ４０２）。なお、設定値セット及び画像データは、撮影業務制御装置３３０の設定値セット送信部３３６及び画像データ送受信部３３７から送られる。
【００７０】
次に、画像処理装置３４０は、画像処理情報取得部３４１において、Ｓ４０２で取得した設定値セットから画像処理項目を取得する（Ｓ４０３）。そして、画像処理装置３４０は、画像処理実行部３４４において、当該取得した画像処理項目に対応する画像処理を実行する（Ｓ４０４）。なお、この画像処理は、設定値セットから取得した画像処理パラメータに基づいて行なわれる。
【００７１】
その後、画像処理装置３４０は、画像データ送受信部３４３において、画像処理後の画像データを撮影業務制御装置３３０に向けて送信する（Ｓ４０５）。撮影業務制御装置３３０は、画像データ送受信部３３７において、当該画像データを受信するとともに、画像データ保存部３３８において、当該画像データを格納する（Ｓ４０６）。そして、この処理は終了する。
【００７２】
以上説明したように本実施形態によれば、撮影者が誤操作によって撮影パラメータを変更してしまったとしても、撮像装置による撮像処理を無効化し、例えば、予め設定された撮影パラメータを撮像装置に再設定する。これにより、撮影パラメータの誤設定等を起因とした撮影ミスを抑制できる。
【００７３】
また、撮影パラメータと画像処理項目とを含む設定値セットを撮影目的毎に管理する。そのため、例えば、様々な目的で撮影を行なう場合にも、撮像装置の撮影パラメータや画像処理項目を素早く変更できる。これにより、作業時間を短縮できるとともに、撮影者による設定ミスを抑制できる。
【００７４】
更に、撮影パラメータと画像処理項目とを関連付けて管理し、当該画像処理項目に基づいて画像処理を行なう。これにより、撮影業務中に画像処理を同時に実行できるため、作業時間の短縮を図れる。また、写真撮影所内で顧客に画像処理済みの画像を提示できるため、利便性も向上する。また更に、画像処理項目を撮影目的毎に管理するため、撮像装置や撮影パラメータが同一であっても、異なる画像処理を提供できる。
【００７５】
以上が本発明の代表的な実施形態の一例であるが、本発明は、上記及び図面に示す実施形態に限定することなく、その要旨を変更しない範囲内で適宜変形して実施できるものである。
【００７６】
なお、本発明は、例えば、システム、装置、方法、プログラム若しくは記憶媒体等としての実施態様を採ることもできる。具体的には、複数の機器から構成されるシステムに適用してもよいし、また、一つの機器からなる装置に適用してもよい。
【００７７】
（その他の実施形態）
本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
0005475392.tif 000002
【図２】
0005475392.tif 000003
【図３】
0005475392.tif 000004
【図４】
0005475392.tif 000005
【図５】
0005475392.tif 000006
【図６】
0005475392.tif 000007
【図７】
0005475392.tif 000008
【図８】
0005475392.tif 000009
【図９】
0005475392.tif 000010